【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
第１の識別子を含む第１のビュー定義を、データ通信リンクを介してサーバから受信するステップと、
前記第１のビュー定義をメモリに、第１のアドレスによって識別された場所で格納するステップと、
テーブルにおいて前記第１のアドレスを前記第１の識別子にマッピングするステップと、
前記第１のビュー定義に対応する第１のビューを表示するステップと、
前記第１のビュー定義の第２の識別子を前記テーブルに格納するステップと、
前記第２の識別子を含む第２のビュー定義を、前記データ通信リンクを介して前記サーバから受信するステップと、
前記第２のビュー定義を前記メモリに、第２のアドレスによって識別された場所で格納するステップと、
テーブルにおいて前記第２のアドレスを前記第２の識別子にマッピングするステップと、
第１のページ定義に基づいて第１のビューコンポーネントを選択するステップと、
第１の結果を作成するために、前記第１のビューコンポーネントを前記第１のページ定義と併合するステップと、
前記第１のページ定義のメタデータに基づいて前記第１および第２の識別子を生成するステップと、
前記第１のビュー定義を直接的にまたは間接的に生成するために、前記第１および第２の識別子を前記第１の結果に追加するステップと、
第２のページ定義に基づいて第２のビューコンポーネントを選択するステップと、
第２の結果を作成するために、前記第２のビューコンポーネントを前記第２のページ定義と併合するステップと、
前記第１のページ定義のメタデータに基づいて前記第２の識別子を生成するステップと、
前記第２のビュー定義を直接的にまたは間接的に生成するために、前記第１および第２の識別子を前記第２の結果に追加するステップとを含む、方法。
【請求項２】
モバイル装置が、前記第２のビュー定義に対応する第２のビューを表示するステップをさらに含む、請求項１に記載の方法。
【請求項３】
命令をモバイル装置に、そのメモリへの格納のために送信するステップを含む、方法であって、モバイル装置は、前記命令の実行に応答して方法を実施するように構成されており、前記方法は、
第１の識別子を含む第１のビュー定義を、データ通信リンクを介してサーバから受信するステップと、
前記第１のビュー定義をメモリに、第１のアドレスによって識別された場所で格納するステップと、
テーブルにおいて前記第１のアドレスを前記第１の識別子にマッピングするステップと、
前記第１のビュー定義に対応する第１のビューを表示するステップと、
前記第１のビュー定義の第２の識別子を前記テーブルに格納するステップと、
前記第２の識別子を含む第２のビュー定義を、前記データ通信リンクを介して前記サーバから受信するステップと、
前記第２のビュー定義を前記メモリに、第２のアドレスによって識別された場所で格納するステップと、
テーブルにおいて前記第２のアドレスを前記第２の識別子にマッピングするステップと、
第１のページ定義に基づいて第１のビューコンポーネントを選択するステップと、
第１の結果を作成するために、前記第１のビューコンポーネントを前記第１のページ定義と併合するステップと、
前記第１のページ定義のメタデータに基づいて前記第１および第２の識別子を生成するステップと、
前記第１のビュー定義を直接的にまたは間接的に生成するために、前記第１および第２の識別子を前記第１の結果に追加するステップと、
第２のページ定義に基づいて第２のビューコンポーネントを選択するステップと、
第２の結果を作成するために、前記第２のビューコンポーネントを前記第２のページ定義と併合するステップと、
前記第１のページ定義のメタデータに基づいて前記第２の識別子を生成するステップと、
前記第２のビュー定義を直接的にまたは間接的に生成するために、前記第１および第２の識別子を前記第２の結果に追加するステップとを含む、方法。
【請求項４】
前記第１の識別子はビューユニフォームリソース識別子であり、前記第２の識別子はターゲットビューユニフォームリソース識別子である、請求項１〜３のいずれか１項に記載の方法。
【請求項５】
前記方法は、前記テーブルにおいてアドレスにマッピングされるべき前記ビューユニフォームリソース識別子の１つ以上のターゲットビューユニフォームリソース識別子を識別するステップをさらに含む、請求項４に記載の方法。
【請求項６】
前記方法は、前記第２のビュー定義に対応する第２のビューを表示するステップをさらに含む、請求項５に記載の方法。
【請求項７】
前記第１のビュー定義を直接的にまたは間接的に生成するために、前記第１および第２の識別子を前記第１の結果に追加するステップは、識別されたターゲットビューユニフォームリソース識別子を示すように前記第１のビュー定義を更新するステップを含む、請求項５または６に記載の方法。
【請求項８】
アクション可能なビューコンポーネントのユーザ起動に応答して、前記第２のビューが前記モバイル装置によって受信される、請求項２または３に記載の方法。
【請求項９】
命令を格納するメモリであって、モバイル装置が前記命令の実行に応答して方法を実施し、前記方法は、
第１の識別子を含む第１のビュー定義を、データ通信リンクを介してサーバから受信するステップと、
前記第１のビュー定義をメモリに、第１のアドレスによって識別された場所で格納するステップと、
テーブルにおいて前記第１のアドレスを前記第１の識別子にマッピングするステップと、
前記第１のビュー定義に対応する第１のビューを表示するステップと、
前記第１のビュー定義の第２の識別子を前記テーブルに格納するステップと、
前記第２の識別子を含む第２のビュー定義を、前記データ通信リンクを介して前記サーバから受信するステップと、
前記第２のビュー定義を前記メモリに、第２のアドレスによって識別された場所で格納するステップと、
テーブルにおいて前記第２のアドレスを前記第２の識別子にマッピングするステップと、
第１のページ定義に基づいて第１のビューコンポーネントを選択するステップと、
第１の結果を作成するために、前記第１のビューコンポーネントを前記第１のページ定義と併合するステップと、
前記第１のページ定義のメタデータに基づいて前記第１および第２の識別子を生成するステップと、
前記第１のビュー定義を直接的にまたは間接的に生成するために、前記第１および第２の識別子を前記第１の結果に追加するステップと、
第２のページ定義に基づいて第２のビューコンポーネントを選択するステップと、
第２の結果を作成するために、前記第２のビューコンポーネントを前記第２のページ定義と併合するステップと、
前記第１のページ定義のメタデータに基づいて前記第２の識別子を生成するステップと、
前記第２のビュー定義を直接的にまたは間接的に生成するために、前記第１および第２の識別子を前記第２の結果に追加するステップとを含む、メモリ。
【請求項１０】
前記第１の識別子はビューユニフォームリソース識別子であり、前記第２の識別子はターゲットビューユニフォームリソース識別子である、請求項９に記載のメモリ。
【請求項１１】
前記方法は、前記テーブルにおいてアドレスにマッピングされるべき前記ビューユニフォームリソース識別子の１つ以上のターゲットビューユニフォームリソース識別子を識別するステップをさらに含む、請求項１０に記載のメモリ。
【請求項１２】
前記方法は、前記モバイル装置が、前記第２のビュー定義に対応する第２のビューを表示するステップをさらに含む、請求項１１に記載のメモリ。
【請求項１３】
アクション可能なビューコンポーネントのユーザ起動に応答して、第２のビューが前記モバイル装置によって受信される、請求項９〜１２のいずれか１項に記載のメモリ。
【請求項１４】
前記第１のビュー定義を直接的にまたは間接的に生成するために、前記第１および第２の識別子を前記第１の結果に追加するステップは、識別されたターゲットビューユニフォームリソース識別子を示すように前記第１のビュー定義を更新するステップを含む、請求項９〜１３のいずれか１項に記載のメモリ。
【請求項１５】
命令を格納するコンピュータ読取可能メモリであって、コンピュータシステムが前記命令の実行に応答して方法を実施し、前記方法は、
モバイル装置から受信された要求に基づいて第１のページ定義を選択するステップと、
第１のビュー定義を前記モバイル装置に送信するステップとを含み、
前記モバイル装置は方法を実施し、前記方法は、
第１の識別子を含む第１のビュー定義を、データ通信リンクを介してサーバから受信するステップと、
前記第１のビュー定義をメモリに、第１のアドレスによって識別された場所で格納するステップと、
テーブルにおいて前記第１のアドレスを前記第１の識別子にマッピングするステップと、
前記第１のビュー定義に対応する第１のビューを表示するステップと、
前記第１のビュー定義の第２の識別子を前記テーブルに格納するステップと、
前記第２の識別子を含む第２のビュー定義を、前記データ通信リンクを介して前記サーバから受信するステップと、
前記第２のビュー定義を前記メモリに、第２のアドレスによって識別された場所で格納するステップと、
テーブルにおいて前記第２のアドレスを前記第２の識別子にマッピングするステップと、
第１のページ定義に基づいて第１のビューコンポーネントを選択するステップと、
第１の結果を作成するために、前記第１のビューコンポーネントを前記第１のページ定義と併合するステップと、
前記第１のページ定義のメタデータに基づいて前記第１および第２の識別子を生成するステップと、
前記第１のビュー定義を直接的にまたは間接的に生成するために、前記第１および第２の識別子を前記第１の結果に追加するステップと、
第２のページ定義に基づいて第２のビューコンポーネントを選択するステップと、
第２の結果を作成するために、前記第２のビューコンポーネントを前記第２のページ定義と併合するステップと、
前記第１のページ定義のメタデータに基づいて前記第２の識別子を生成するステップと、
前記第２のビュー定義を直接的にまたは間接的に生成するために、前記第１および第２の識別子を前記第２の結果に追加するステップとを含む、コンピュータ読取可能メモリ。